(57)【要約】【課題】太陽熱集熱構造における赤外線吸収率の低下、高温度大気環境下における侵食、装置寿命の低下、高温度落差サイクル環境下での界面の熱応力による層間剥離を防止し、照射、吸収された赤外線波長領域を効率良く熱電発電素子に供給する。【解決手段】高熱伝導率の金属材料母材１３と、該母材表面に赤外線波長領域の吸収率が高い非酸化物セラミックスからなる赤外線吸収膜層１４を形成し、その間に、母材である金属材料と赤外線吸収膜形成材料の混合比率を変えた傾斜層１５を形成し、前記集熱体の太陽熱照射面に、深さが集熱体の中心部近傍に達する空洞１６を設けてなる。【選択図】図３
2010267800.tif 000002
【特許請求の範囲】
【請求項１】
太陽光熱発電システムにおける太陽熱集熱体であって、高熱伝導率の金属材料からなる母材と、該母材表面に赤外線波長領域の吸収率が高い非酸化物セラミックスからなる赤外線吸収膜層を形成してなることを特徴とする太陽熱集熱体。
【請求項２】
前記母材と赤外線吸収膜層との間に、母材である金属材料と赤外線吸収膜形成材料の混合比率を変えた傾斜層を連続または段階的に形成してなる請求項１に記載の太陽熱集熱体。
【請求項３】
前記高熱伝導率の金属材料からなる母材が、銅、銀、ニッケル、アルミニウムから選択される単体又は合金からなる請求項１又は２に記載の太陽熱集熱体。
【請求項４】
前記赤外線吸収膜層を形成する非酸化物セラミックス材料が、ニホウ化チタン、炭化チタン、窒化チタン、炭化ジルコニウムから選択された単体又は複合の非酸化物セラミックスである請求項１〜３何れかに記載の太陽熱集熱体。
【請求項５】
前記赤外線吸収膜層を形成する非酸化物セラミックス材料が、高温度大気環境下において、酸化開始温度が高い非酸化物セラミックス材料である請求項１〜３何れかに記載の太陽熱集熱体。
【請求項６】
前記太陽熱集熱体の太陽熱照射面に、深さが該太陽熱集熱体の中心部近傍に達する空洞を設けてなることを特徴とする請求項１〜５何れかに記載の太陽熱集熱体。
【請求項７】
前記太陽熱集熱体は、両端面が平坦な柱状を呈し、該周面に前記空洞が１又は複数個形成されてなる請求項６に記載の太陽熱集熱体。
【請求項８】
請求項１〜７何れかに記載の太陽熱集熱体の両端面に、熱電発電素子の高温側が接触するように熱電発電素子を配置し、且つ該熱電発電素子の低温側に冷却ブロックを配置してなることを特徴とする太陽光熱発電モジュール。
【発明の詳細な説明】
【技術分野】
【０００１】
本発明は、太陽光における赤外線波長領域の光を吸収し、熱エネルギーとして集熱し、熱エネルギーを熱源とする熱電発電システムに熱エネルギーを供給する太陽光熱複合発電システムにおける太陽熱集熱体および該太陽熱集熱体を利用した太陽光熱発電モジュール集熱体構造に関するものである。
【背景技術】
【０００２】
従来、太陽光エネルギーを効率よく電気エネルギーに変換する装置として、太陽光エネルギーを電気エネルギーに変換する太陽電池と熱電発電素子を備え、太陽光を赤外線選択透過膜（波長選択反射透過膜）で赤外線と可視光線に分離し、可視光線は太陽電池に照射して電気エネルギーに変換し、赤外線は熱電発電素子に照射して電気エネルギーに変換させる太陽光熱複合発電システムが提案されている（特許文献１、２参照）。このような太陽光熱複合発電システムにおいて、太陽熱を熱源とする熱電発電システムは、太陽光集光分離システムにより集光、分離した赤外線波長領域の光を効率良く吸収し、熱エネルギーとして効率良く熱電発電素子に供給する太陽熱集熱体を用いる必要がある。また太陽熱集熱体は６００℃あるいはそれ以上の高温度大気環境下、又は真空環境下、あるいは常温から１０００℃の高温度落差サイクル環境下にさらされる。
【０００３】
従来の太陽熱の集熱体としては、高熱伝導率で均質な金属材料（例えば金、銀、銅、アルミニウムなど）、赤外線の吸収率が高い均質材料（例えばグラファイトなど）、又は高熱伝導率の均質材料の表面にグラファイト層を生成したものが知られている。しかし、高熱伝導率金属材料の集熱体は、熱エネルギーを効率良く熱電発電素子に伝えることができるが、赤外線吸収率が低いという問題がある。一般的な高熱伝導率金属材料の赤外線吸収率は数％〜数十％である。またグラファイトの集熱体は、赤外線吸収率は高いが、高温度大気環境下において炭素と酸素の反応により侵食が生じ、装置寿命が短くなる問題がある。更に熱伝導率が比較的低いため、熱エネルギーの熱電発電素子への供給の面で問題がある。また高熱伝導率金属材料にグラファイト層を生成した集熱体は、グラファイト層により赤外線を吸収し、高熱伝導率材料により熱エネルギーを熱電発電素子に効率良く供給できるが、高温度大気環境下におけるグラファイト層の侵食が問題となる。更に太陽熱を熱源とする熱電発電システムにおいて、太陽熱集熱体は高温度落差サイクル環境下にさらされるため、金属材料とグラファイト層の界面に熱応力が発生し、グラファイト層が剥離する問題がある。そして従来の太陽熱集熱体は太陽熱（赤外線波長領域）が照射される面が平面である。そのため照射、吸収された太陽熱が熱電発電素子に効率良く供給されない問題がある。
【先行技術文献】
【特許文献】
【０００４】
【特許文献１】特開平１０−１１０６７０号公報
【特許文献２】特開平１１−３１８３５号公報
【発明の開示】
【発明が解決しようとする課題】
【０００５】
太陽光熱複合発電システムにおいて、太陽熱集熱体は赤外線波長領域の光を効率良く吸収し、熱エネルギーとして熱電発電素子に効率良く供給する必要がある。また太陽熱集熱体は、１０００℃の高温度大気環境下及び室温から１０００℃の高温度落差サイクル環境下にさらされるため酸化、侵食、被覆層の剥離の問題が生じる。
そこで、本発明が解決しようとする課題は、（１）高熱伝導率金属材料の太陽熱集熱体で問題となっている赤外線吸収率の低下の解決、（２）グラファイト集熱体、グラファイト被覆高熱伝導率金属材料の集熱体で問題となっている高温度大気環境下における侵食、装置寿命の低下の解決、（３）グラファイト被覆高熱伝導率金属材料の集熱体で問題となっている高温度落差サイクル環境下での金属材料とグラファイト層の界面の熱応力によるグラファイト層の剥離の解決、（４）照射、吸収された太陽熱（赤外線波長領域）を効率良く熱電発電素子に供給することである。
【課題を解決するための手段】
【０００６】
上記課題を解決する請求項１に係る本発明の太陽光熱発電システムにおける太陽熱集熱体は、高熱伝導率の金属材料からなる母材と、該母材表面に赤外線波長領域の吸収率が高い非酸化物セラミックスからなる赤外線吸収膜層を形成してなることを特徴とするものである。
【０００７】
請求項２の発明は、請求項１に記載の太陽熱集熱体において、前記母材と赤外線吸収膜層との間に、母材である金属材料と赤外線吸収膜形成材料の混合比率を変えた傾斜層を連続または段階的に形成してなることを特徴とするものである。
請求項３の発明は、請求項１又は２に記載の太陽熱集熱体において、前記高熱伝導率の金属材料からなる母材が、銅、銀、ニッケル、アルミニウムから選択される単体又は合金からなることを特徴とするものである。
請求項４の発明は、請求項１〜３何れかに記載の太陽熱集熱体において、前記赤外線吸収膜層を形成する非酸化物セラミックス材料が、二ホウ化チタン、炭化チタン、窒化チタン、炭化ジルコニウムから選択された単体又は複合の非酸化物セラミックスであることを特徴とするものである。
請求項５の発明は、請求項１〜３何れかに記載の太陽熱集熱体において、前記赤外線吸収膜層を形成する非酸化物セラミックス材料が、高温度大気環境下において、酸化開始温度が高い非酸化物セラミックス材料であることを特徴とするものである。
請求項６の発明は、請求項１〜５何れかに記載の太陽熱集熱体において、前記太陽熱集熱体の太陽熱照射面に、深さが該太陽熱集熱体の中心部近傍に達する空洞を設けてなることを特徴とするものである
さらに、請求項７の発明は、請求項６に記載の太陽熱集熱体において、前記太陽熱集熱体は、両端面が平坦な柱状に形成され、外周面に前記空洞が１又は複数個形成されてなることを特徴とするものである。柱状は、四角柱状、その他の多角柱状、円柱状、楕円柱状等適宜の形状のものが採用できる。
【０００８】
上記課題を解決する請求項８に記載の本発明の太陽光熱発電モジュールは、請求項１〜７何れかに記載の太陽熱集熱体の両端面に、熱電発電素子の高温側が接触するように熱電発電素子を配置し、且つ該熱電発電素子の低温側に冷却ブロックを配置してなることを特徴とするものである。
【発明の効果】
【０００９】
請求項１の発明によれば、高熱伝導率の金属材料からなる母材と、赤外線波長領域の吸収率が高い非酸化物セラミックス材料との組み合わせにより、照射された太陽熱を効率よく吸収し、且つ照射、吸収された太陽熱（赤外線波長領域）を効率よく熱電発電素子に供給することができ、且つ赤外線吸収膜の高温度大気環境下における酸化、侵食、装置寿命の低下を抑制することができ、上記（１）、（２）及び（４）に記載の解決しようとする課題を解決することができる。赤外線波長領域の吸収率が高い非酸化物セラミックス材料を使用することによって、従来の太陽熱集熱体において問題となっている高熱伝導率の金属材料を用いることによる赤外線吸収率の低下を大幅に改善できる。また高温度大気環境下における酸化、侵食、装置寿命の低下についても、使用する非酸化物セラミックス材料によっても異なるが、グラファイトのような酸化開始温度が低い材料と比べ、大幅に改善できる。
【００１０】
請求項２の発明によれば、金属材料母材と非酸化物セラミックス層の間に熱応力を緩和させる傾斜層を設けているため、高温度落差サイクル環境下における熱応力による赤外線吸収膜の剥離を防止することができ、金属材料にグラファイト膜を成膜した太陽熱集熱体と比べ、太陽熱集熱体の装置寿命を大幅に改善できる。よって、上記（３）に記載の解決しようとする課題を解決することができる。
請求項３の発明によれば、母材として、銅、銀、ニッケル、アルミニウムから選択される単体又は合金を採用しているため、母材の熱伝導率をより高めることができ、照射された熱エネルギーをより効率よく熱伝発電素子に供給することができる。
請求項４の発明によって採用する非酸化物セラミックス材料は、赤外線吸収率が９０％以上と高く、酸化開始温度が５００℃以上と高く、熱伝導率が高いという特徴を有している。よって請求項４の発明によれば、従来の太陽熱集熱体において問題となっている高熱伝導率の金属材料を用いることによる赤外線吸収率の低下を大幅に改善できる。
請求項５の発明によれば、これらの材料を採用することによって、赤外線吸収膜層の高温度大気環境下における酸化、侵食、装置寿命の低下を効果的に抑制することができる。
請求項６の発明によれば、太陽熱集熱体の太陽熱照射面に、深さが太陽熱集熱体の中心近傍に達する空洞を設けることにより、太陽熱（赤外線波長領域）を集熱体内部に照射することができるようになり、熱エネルギーを効率良く熱電発電素子に供給することができる。
請求項７の発明によれば、太陽熱集熱体を両端面が平坦な柱状に形成することによって、平坦な両面に熱電発電素子を配置することができ、その側面に多方向から太陽熱を照射することができ、コンパクトでより効率よく熱電発電素子に太陽熱を供給することができる。
【００１１】
請求項８の発明によれば、高温度環境下、宇宙の真空環境下、高温度落差サイクル環境下でも、耐久性があり、且つ効率的に発電でき、しかも非常に小型化で高発電量を得ることができる太陽光熱発電モジュールが得られる。
【図面の簡単な説明】
【００１２】
【図１】本発明の実施形態に係る太陽熱集熱体を利用した太陽光熱複合発電システムの動作概念を示す図である。
【図２】本発明の実施形態の太陽熱集熱体を利用した熱電発電モジュールの断面構造を示す図である。
【図３】（ａ）は本発明の実施形態に係る太陽熱集熱体の平面断面図、（ｂ）はそのＡ−Ａ断面図である。
【符号の説明】
【００１３】
１  太陽光
２  フレネルレンズ
３  反射鏡
４  波長選択フィルタ
５  太陽電池発電部
６  可視光線領域の太陽光
７  熱電発電モジュール
８  赤外線領域の太陽光
９  太陽熱集熱体
１０  熱電発電素子
１１  冷却ブロック
１２  断熱材
１３  金属材料母材
１４  赤外線吸収膜
１５  傾斜層
１６  空洞
【発明を実施するための形態】
【００１４】
以下、本発明の実施形態を図面を参照しながら詳細に説明する。
まず、図１により本発明の太陽熱集熱体の太陽光熱複合発電システムの概略を説明する。本実施形態の太陽光熱複合発電システムは、図１に示すように、フレネルレンズ２、該フレネルレンズ２により集光した太陽光線を波長選択フィルタ４に向けて反射させる反射鏡３、該反射鏡３から反射された太陽光線を可視光線と赤外線に分離し、可視光線は反射し、赤外線は透過させる波長選択フィルタ４、該波長選択フィルタ４で分離されて反射した可視光線の照射位置に配置された太陽電池発電部５、同じく赤外線照射位置に配置された太陽熱集熱体９と該太陽熱集熱体に高温側が接触するように配置された熱電発電素子１０及び該熱電発電素子の低温側に冷却ブロック１１を配置してなる熱電発電モジュール７とから構成されている。
【００１５】
本実施形態の太陽光熱複合発電システムは、フレネルレンズ２が太陽を追尾するように構成し、太陽光１をフレネルレンズ２、反射鏡３より集光集熱し、可視光線領域と赤外線領域に分離する波長選択フィルタ４により分離する。そして太陽電池発電部５において可視光線領域の太陽光６を用いて発電し、熱電発電モジュール７において赤外線領域の太陽光８を用いて発電する構成である。それにより、一般的な太陽光システムでは使えない赤外線を利用し、太陽エネルギー利用効率を大幅に向上させ、従来よりも大幅な発電量を得ることができる。
【００１６】
図２、図３に本発明の太陽熱集熱体９を使用する熱電発電モジュール７の詳細図を示す。熱電発電モジュール７は赤外線領域の太陽光８を集熱し、熱電発電素子１０の高温側を加熱する太陽熱集熱体９、熱電発電素子１０、熱電発電素子の低温側を冷却する冷却ブロック１１、太陽熱集熱体９の熱損失を低減させる断熱材１２により構成される。そして、本実施形態では、太陽熱集熱体９が後述する図３に示すように、四角柱状に形成され、その両端面（上下端面）にそれぞれ熱電発電素子を配置し、太陽熱集熱体の周壁の４方より波長選択フィルタ４により分離された赤外線を照射するように構成されている。それにより、熱電発電モジュール７をコンパクトに構成して高発電量を得ることができる。
【００１７】
本発明の太陽光熱複合発電システムは、上記実施形態のように構成することによって、波長選択フィルタ４により分離された赤外線領域の太陽光８を太陽熱集熱体９により効率良く吸収し、熱電発電素子１０に効率良く供給することによって、高温部を効果的に加熱することができ、且つシステム全体をコンパクトにして高発電量を得ることができ好ましいが、本発明は上記実施形態のものに限定されるものではない。
【００１８】
次に、本発明の太陽熱集熱体の構造について図面を参照してより詳細に説明する。図３（ａ）（ｂ）は本発明の太陽熱集熱体９の構造を示す図であり、（ａ）は平面図、（ｂ）はその中央のＡ−Ａ断面図である。太陽熱集熱体９は高熱伝導率の金属材料母材１３、赤外線吸収膜１４、金属材料母材と赤外線吸収膜材料の混合比率の異なる傾斜層１５、集光・照射された太陽熱（赤外線波長領域）を効率良く熱電発電素子へ伝えるための空洞１６より構成される。本実施形態では、太陽熱集熱体９は図示のように上下両端面が平坦な四角柱に形成され、その４周壁のそれぞれ中心部に断面円形の空洞１６が略中心部近傍まで届く深さに形成されている。空洞の大きさは、波長選択フィルタを透過した赤外線集光が該円形の空洞の周壁面に当たることなく、空洞の最深部、即ち太陽熱集熱体９の中心近傍に届く大きさに形成されている。
【００１９】
太陽熱集熱体９の前記金属材料母材１３は、鉄よりも熱伝導率が高い金属材料が望ましく、金、銀、銅、ニッケル、アルミニウムから選択される単体又は合金等の高熱伝導率の金属材料を用いることが一般的により望ましいが、集熱体の熱伝導率、比熱は熱電発電素子の使用温度領域に応じて最適化することが好ましい。また、赤外線吸収膜層１４を形成する非酸化物セラミックス材料としては、赤外線波長領域の吸収率が高い二ホウ化チタン(TiB2)、炭化チタン(TiC)、窒化チタン(TiN)、炭化ジルコニウム(ZrC)の非酸化物セラミックス材料から選択され単体又は複合の非酸化物セラミックスであることが望ましい。これらの非酸化物セラミックス材料は、赤外線吸収率が９０％以上と高く、且つ酸化開始温度が５００℃以上と高く、しかも高熱伝導率が高いという特徴を有している。
【００２０】
傾斜層１５は、母材側表面が母材成分で赤外線吸収膜層側表面が赤外線吸収膜層を形成する非酸化物セラミックス成分からなり、両者の成分割合が層の厚さ方向に互いに混ざり合って次第に減少するように連続して変化する傾斜材料で構成することが望ましい。しかしながら、成分割合が段階的に変化するように、両者の成分割合を変えた複数層を積層して傾斜層を形成してもよい。その場合、傾斜層１５の層数は金属材料母材と赤外線吸収膜材料の熱膨張率の差に影響を受けるため、材料の種類に応じて層数を最適化することが好ましい。
【００２１】
上記実施形態では、太陽熱集熱体を四角柱に形成して、その周壁４面より赤外線を照射するようにしたが、必ずしも４面に限らず１面のみに照射するようにしても柱、あるいは円柱等その形態は特に限定されるものではない。
【産業上の利用可能性】
【００２２】
本発明の太陽熱集熱体構造は、太陽光熱を利用した産業用、家庭用太陽光熱複合発電システムに使用できる。また太陽熱エネルギーをエネルギー源とする熱電子発電システム、ガスタービン発電システムにも使用することができる。
【図１】
2010267800.tif 000003
【図２】
2010267800.tif 000004
【図３】
2010267800.tif 000005